(57)【要約】プログラムに対応する映像ストリーム（２００）からそれぞれの部分（２２２乃至２３４、２４２乃至２５４）を選択することにより関連映像セグメント群（２０１、２０３）の収集を生成する方法を開示している。関連映像セグメント群（２０１、２０３）の収集は映像トレーラ又は映像要約として適用される。それ故、関連映像セグメントの収集の持続時間はプログラムの持続時間に比べて相対的に短い。その方法は、プログラムに関連する複写情報を受信する段階であって、複写情報は複数の文を有する、段階と、複数の文の第１文において第１感嘆構文要素を検出する段階と、前記第１感嘆構文要素に対応する、映像ストリーム（２００）からの部分群（２０２）の第１部分を選択する段階と、部分群（２０２）の第１部分を関連映像セグメント群の第１セグメントと関連付ける段階と、を有する。
2007503145.tif 000002
【特許請求の範囲】
【請求項１】
プログラムに対応する映像ストリームからそれぞれの部分を選択することにより関連映像セグメント群の収集を生成する方法であって、前記の関連映像セグメント群の収集の第１持続時間は前記プログラムの第２持続時間に比べて相対的に短い、方法であり：
前記プログラムに関連する複写情報を受信する段階であって、前記複写情報は複数の文を有する、段階；
前記複数の文の第１文において第１感嘆構文要素を検出する段階；
前記第１感嘆構文要素に対応する、前記映像ストリームからの部分群の第１部分を選択する段階；
前記部分群の前記第１部分を前記関連映像セグメント群の第１セグメントと関連付ける段階；
を有することを特徴とする方法。
【請求項２】
請求項１に記載の方法であって、第１感嘆構文要素は、感嘆符、大文字で表された単語、大文字で表された単語を有する文、下線が付けられた大文字で表された単語、イタリック体で表された単語、ボールド体で表された単語、及び他の文における他の大文字と比較して相対的に大きい大文字で表された単語の１つである、ことを特徴とする方法。
【請求項３】
請求項１に記載の方法であって、前記複写情報は、クローズドキャプションテキスト、テレテキストにより交換されたサブタイトル及び重なり合ったテキストとして交換されたサブタイトルの１つである、ことを特徴とする方法。
【請求項４】
請求項１に記載の方法であって：
特定の単語の集合の第２単語と同じ第１単語を有する比較的短い文をフィルタリング除去する段階；
を更に有する、ことを特徴とする方法。
【請求項５】
請求項４に記載の方法であって、前記の特定の単語の集合は単語“はい”、“いいえ”及び“ありがとう”を有する、ことを特徴とする方法。
【請求項６】
請求項１に記載の方法であって：
前記の選択された部分群の順序を変える段階；
を更に有する、ことを特徴とする方法。
【請求項７】
プログラムに対応する映像ストリームからそれぞれの部分を選択することにより関連映像セグメント群の収集を生成するための映像セグメント編集ユニットであって、前記の関連映像セグメント群の収集の第１持続時間は前記プログラムの第２持続時間に比べて相対的に短い、映像セグメント編集ユニットであり：
前記プログラムに関連する複写情報を受信するための受信手段であって、前記複写情報は複数の文を有する、受信手段；
前記複数の文の第１文において第１感嘆構文要素を検出するための検出手段；
前記第１感嘆構文要素に対応する、前記映像ストリームからの部分群の第１部分を選択するための選択手段；並びに
前記部分群の前記第１部分を前記関連映像セグメント群の第１セグメントと関連付けるための関連付け手段；
を有することを特徴とする映像セグメント編集ユニット。
【請求項８】
映像記憶システムであって：
映像ストリームを受信するための受信ユニット；
前記映像ストリームの記憶のため及び前記映像システムから選択された関連映像セグメントの収集の記憶のための記憶手段；並びに
請求項７に記載するような、前記の関連映像セグメントの収集を生成するための映像セグメント編集ユニット；
を有することを特徴とする映像記憶システム。
【請求項９】
請求項８に記載の映像記憶システムであって、前記記憶手段はハードディスクを有する、ことを特徴とする映像記憶システム。
【請求項１０】
請求項８に記載の映像記憶システムであって、前記記憶手段は取り外し可能メモリ装置に前記映像ストリームを記憶するように備えられている、ことを特徴とする映像記憶システム。
【請求項１１】
請求項１０に記載の映像記憶システムであって、前記取り外し可能メモリ装置は光ディスクを有する、ことを特徴とする映像記憶システム。
【請求項１２】
コンピュータ構成によりロードされるコンピュータプログラムであって、プログラムに対応する映像ストリームからそれぞれの部分を選択することにより関連映像セグメント群の収集を生成するための命令を有し、前記の関連映像セグメント群の収集の第１持続時間は前記プログラムの第２持続時間に比べて相対的に短く、前記コンピュータ構成は処理手段とメモリとを有し、前記コンピュータプログラムはロードされた後に次の段階であって：
前記プログラムに関連する複写情報を受信する段階であって、前記複写情報は複数の文を有する、段階；
前記複数の文の第１文において第１感嘆構文要素を検出する段階；
前記第１感嘆構文要素に対応する、前記映像ストリームからの部分群の第１部分を選択する段階；
前記部分群の前記第１部分を前記関連映像セグメント群の第１セグメントと関連付ける段階；
を実行する能力を前記処理手段に与えることを特徴とするコンピュータプログラム。
【発明の詳細な説明】
【技術分野】
【０００１】
本発明は、プログラムに対応する映像ストリームからそれぞれの部分を選択することにより関連映像セグメントの収集を生成する方法であって、関連映像セグメントの収集の第１期間はプログラムの第２期間と比べて相対的に短い、方法に関する。
【０００２】
本発明は、更に、プログラムに対応する映像ストリームから関連部分を選択することにより関連映像セグメントの収集を生成するための映像セグメント編集であって、関連映像セグメントの収集の第１期間はプログラムの第２期間と比べて相対的に短い、映像セグメント編集に関する。
【０００３】
本発明は、映像記憶システムであって：
−  映像ストリームを受信するための受信ユニット；
−  映像ストリームの記憶及び映像ストリームから選択される関連映像セグメントの収集の記憶のための記憶媒体；
−  上記の関連映像セグメントの収集を生成するための映像セグメント編集ユニット；
を有する映像記憶システムに更に関する。
【０００４】
本発明は、コンピュータ構成によりロードされるコンピュータプログラムプロダクトであって、プログラムに対応する映像ストリームから関連部分を選択することにより関連映像セグメントの収集を生成するための命令を有し、関連映像セグメントの収集の第１期間はプログラムの第２期間と比べて相対的に短く、コンピュータ構成は処理手段とメモリとを有する、コンピュータプログラムプロダクトに更に関する。
【背景技術】
【０００５】
人々のリビングルームでアクセスされ且つ消費される音声−映像情報量は益々増加している。この傾向は、将来のテレビジョン受信器及びパーソナルコンピュータにより提供される技術及び機能性の両方の収束のために更に加速される可能性がある。対象の音声−映像情報を選択するためであって、大量の利用可能な音声−映像情報に亘って効果的にナビゲートし、適切な関連する音声−映像情報についてユーザに支援するためにツールが必要とされる。ユーザが記録された音声−映像情報の即座のオーバービューを得ることを可能にするための、及び、全体的な記録されたプログラムをどのように見るかを決定するための関心のあるフィーチャは映像トレーラの自動生成である。プログラムが記録されてしまっている又は記録されるとき、記録プログラムは映像ストリームから関連映像セグメントを選択するように分析される。関連映像セグメントが表示された後、ユーザは記録されているプログラムの適切なオーバービューを提供される。
【０００６】
冒頭の段落で説明した種類の方法の形態について、文献、“Ｖｉｄｅｏ  Ａｂｓｔｒａｃｔｉｎｇ”，ｂｙ  Ｒ．Ｌｉｅｎｈａｒｔ，ｅｔ  ａｌ．，ｉｎ  Ｃｏｍｍｕｎｉｃａｔｉｏｎｓ  ｏｆ  ｔｈｅ  ＡＣＭ，４０（１２），ｐｐ．５５−６２，  １９９７に記載されている。この文献において、映像データは４層にモデル化されることが記載されている。最も低いレベルにおいては、フレームの集合を有し、次に高いレベルにおいては、フレームはショット又は連続カメラ記録にグループ化され、連続ショットはストーリーの一貫性に基づいてシーンに集められる。全てのシーンは一緒になって映像を構成する。クリップの概念については、要約の要素であるように選択されるフレームシーケンスとして説明されている。従来の方法は映像コンテンツのセグメント化及び分析、クリップ選択及びクリップ組み立ての３つの段階を有する。分析段階の目的は、例えば、主役の俳優、発砲、爆発のクローズアップ等の特別なイベント及びテキストを見つけることである。従来の方法の不利点は、それが比較的複雑であり、ロバストでないことである。
【発明の開示】
【発明が解決しようとする課題】
【０００７】
本発明の目的は、比較的容易である、冒頭の段落で説明した種類の方法を提供することである。
【課題を解決するための手段】
【０００８】
このような本発明の目的は、次の方法であって：
−  プログラムに関連する複写情報を受信する段階であって、複写情報は複数の文を有する、段階；
−  文の第１文において感嘆構文要素を検出する段階；
−  第１感嘆構文要素に対応する映像ストリームから一部の第１部分を選択する段階；及び
−  一部の第１部分を関連映像セグメントの第１セグメントと関連付ける段階；
を有する方法により達成される。
【０００９】
感嘆構文要素を用いることが感嘆符を意味する場合、単語は大文字で表され、文は大文字で表された単語を有し、単語は下線付き文字で表され、単語はイタリック体で表され、単語はボールド体で表され、又は単語は他の文における他の文字に比べて相対的に大きい文字で表される。
【００１０】
複写情報は、例えば、クローズドキャプション、テレテキストにより交換されたサブタイトル又は映像ストリームの画像とマージされるべきグラフィックデータとして交換及び／又は記憶されるサブタイトルとして表され、結果として重ね合わされたテキストを得る。
【００１１】
一般に、感嘆符で終了する文は、映像要約か又は映像トレーラが好奇心をもたらし及び注目を維持するように、映像プリビューに含まれることができる興味のある映像セグメントに対応している。サブタイトル及びクローズドキャプションにおいて、表現が大声で言われ又は表現される、例えば、人が叫んでいるとき、文は全ての単語が大文字で表される。それらの文に関連するセグメントは、より人の心を捕らえ且つ興味をもたれる映像プリビューを作成するために好適に用いられる。
【００１２】
本発明に従った方法の実施形態は、特定の単語の集合の第２単語と同じである第１単語を有する比較的短い文章をフィルタリング除去する段階を更に有する。単語の集合は、単語、“はい”、“いいえ”及び“ありがとう”を有することが可能である。換言すれば、例えば、“はい”、“いいえ”等のしばしば表現される短い文章は、それらは重要度が低いとみなされるため、フィルタリング除去される。
【００１３】
本発明に従った方法の実施形態においては、選択された部分の順序が変更される。適切な順序に選択された部分を照らし合わせる、即ち、オリジナルプログラムにおけるような順序に一致させることにより、あまりに多くのストーリーが現れる可能性がある。順序を変更することにより、この可能性は小さくなる。
【００１４】
本発明の他の目的は、比較的容易な方式で関連映像セグメントの収集を生成するように備えられた、冒頭の段落で説明した種類の映像セグメント編集ユニットを提供することである。
【００１５】
このような本発明の目的は、映像セグメント編集ユニットが：
−  プログラムに関連した複写情報を受信するための受信手段であって、複写情報は複数の文を有する、受信手段；
−  文群の第１文において感嘆構文要素を検出するための検出手段；
−  第１感嘆構文要素に対応する映像ストリームから部分群の第１部分を選択するための選択手段；並びに
−  部分群の第１部分を関連映像セグメント群の第１セグメントと関連付けるための関連付け手段；
を有することで達成される。
【００１６】
本発明の他の目的は、比較的容易な方式で関連映像セグメントの収集を生成するように備えられた、冒頭の段落で説明した種類の映像記憶システムを提供することである。
【００１７】
このような本発明の目的は、映像記憶システムの映像セグメント編集ユニットが：
−  プログラムに関連した複写情報を受信するための受信手段であって、複写情報は複数の文を有する、受信手段；
−  文群の第１文において感嘆構文要素を検出するための検出手段；
−  第１感嘆構文要素に対応する映像ストリームから部分群の第１部分を選択するための選択手段；並びに
−  部分群の第１部分を関連映像セグメント群の第１セグメントと関連付けるための関連付け手段；
を有することで達成される。
【００１８】
本発明に従った映像記憶システムの実施形態においては、記憶手段はハードディスクを有する。本発明に従った映像記憶システムの他の実施形態においては、記憶手段は、取り外し可能メモリ装置、即ち、光ディスクのような取り外し可能記憶媒体に映像ストリームを記憶するように備えられ手いる。本発明に従った映像セグメント編集ユニットは、例えば、テレビジョン装置、コンピュータ、ビデオレコーダ（ＶＣＲ）、ＤＶＤレコーダ、セットトップボックス、衛星放送チューナ又は家電製品分野の他の装置に備えられることが可能である。
【００１９】
本発明の他の目的は、比較的容易な、冒頭の段落で説明した種類のコンピュータプログラムプロダクトを提供することである。
【００２０】
このような本発明の目的は、ロードされた後のコンピュータプログラムプロダクトは次のような能力であって：
−  プログラムに関連する、複数の文を有する複写情報を受信し；
−  文群の第１文において第１感嘆構文要素を検出し；
−  第１感嘆構文要素に対応する映像ストリームから部分群の第１部分を選択し；及び
部分群の第１部分を関連映像セグメント群の第１セグメントと関連付ける；
ことを実行する、能力を前記処理手段に与えることで達成される。
【００２１】
その方法の修正及び変形は、上記の、映像記憶システム及びコンピュータプログラムプロダクトの映像セグメント編集ユニットの修正及び変形に対応することが可能である。
【００２２】
本発明に従った、方法、映像記憶システムの映像セグメント編集ユニット及びコンピュータプログラムプロダクトの上記の及び他の特徴については、以下、添付図面を参照しながら詳述する実施形態に関連して明らかとなり、理解されるであろう。
【発明を実施するための最良の形態】
【００２３】
プログラムは、テレビ局、即ち、テレビ放送局による放送のようなテレビジョンプログラムであることが可能である。典型的には、テレビジョンプログラムはテレビジョン装置により視聴される。しかしながら、プログラムは又、他のタイプのコンテンツプロバイダにより、例えば、インターネットにより供給されることが可能である。その場合、プログラムは、テレビジョン装置ではなく他の種類の装置により視聴されることが可能である。代替としては、プログラムは放送されるものではなく、例えば、光ディスク又はカセットテープ等の取り外し可能媒体により交換されるものがある。本発明が広い範囲を有することは後に明らかになるであろう。
【００２４】
テレビジョン信号は、ピクチャ情報、音声情報及び、例えば、テレテキスト情報のような付加情報を有する。テレビジョン信号はテレビジョンプログラムを送信する。テレビジョンプログラムは、映画、エピソードのシリーズ、演劇を記録した再生映像、ドキュメンタリ又はスポーツプログラムを有することが可能である。それらの種類のテレビジョンプログラム情報は、複数のコマーシャルブレーク情報及びアナウンス情報のユニットにより中断される可能性がある。各々のコマーシャルブレークは、通常、複数のコマーシャルメッセージを含む。
【００２５】
図１は、本発明に従った記録及び再生装置１００の実施形態を模式的に示している。この記録及び再生装置１００はハードディスクに基づく映像記憶システムである。その記録及び再生装置１００は、受信信号ＴＳに含まれるテレビジョン信号ＦＳを記録するように及び記録されたテレビジョン信号ＡＦＳを再生するように適合される。受信信号ＴＳは、アンテナ又はケーブルにより受信された放送信号であることが可能であるが又、例えば、ＶＣＲ（ビデオカセットレコーダ）又はＤＶＤ（Ｄｉｇｉｔａｌ  Ｖｅｒｓａｔｉｌｅ  Ｄｉｓｋ）等の記憶装置からの信号であることが可能である。受信信号は入力コネクタ１１０により供給される。再生テレビジョン信号ＡＦＳは出力コネクタ１１２において供給され、例えば、テレビジョン装置から構成されるディスプレイ装置により表示されることが可能である。
【００２６】
記録及び再生装置１００は：
−  信号ＴＳを受信するための受信ユニット１０２（例えば、チューナである、この受信ユニット１０２は、テレビ局のテレビジョン信号ＦＳを選択するように備えられる。このテレビジョン信号ＦＳはテレビジョンプログラム２００に対応する映像ストリームを表す。）； 
−  受信ユニット１０２により供給される映像ストリームの記憶のための記録及び再生手段１０６（記録及び再生手段１０６は、記録されるべきテレビジョン信号ＦＳを処理し、周知である再生テレビジョン信号ＡＦＳを処理するための信号処理段階を有する。この処理段階はデータ圧縮を有することが可能である。記録及び再生手段１０６は、処理テレビジョン信号ＦＳの記録のために記録媒体としてハードディスクを有する。）；
−  再生テレビジョン信号ＡＦＳへの記憶情報の適合のため及び、例えば、テレビジョン装置に出力コネクタ１１２によるこの再生テレビジョン信号ＡＦＳの送信のための交換ユニット（その適合は、映像ストリームを表すテレビジョン信号ＦＳの担体における変調を有することを可能にする。記憶情報は、受信ユニット１０２により供給される映像ストリームと関連映像セグメントの収集とを有する。）；並びに
−  テレビジョンプログラムに対応する映像ストリームからそれぞれの部分を選択することによりそのような関連映像セグメントの収集を生成するための映像セグメント編集ユニット１０８（この映像セグメント編集ユニット１０８の目的は、映像トレーラ又は代替として映像ストリームの映像要約を生成することである。それ故、関連映像セグメントの収集の期間はテレビジョンプログラムの期間に比べて相対的に短い。例えば、テレビジョンプログラムは１又は２時間を要し、関連映像セグメントの収集の期間は秒乃至分のオーダーである。それは、例えば、１０秒乃至２分の範囲である。結果として、各々の関連映像セグメントが続くのはほんの数秒間である。ユーザの要請に基づき、選択されるべき関連映像セグメントの持続時間は長くされる又は短くされることが可能である。全ての関連映像セグメントが同じ長さを有する必要はない。関連映像セグメントの収集の生成は、映像ストリームの記録中又は記録が終了した後に実行されることが可能である。前者の場合、映像ストリームは接続１１４により供給され、後者の場合、映像ストリームは接続１１６により供給される。）；
を有する。
【００２７】
映像セグメント編集ユニット１０８は：
−  プログラムに関連する複写情報を受信するための複写情報受信ユニット１１８（複写情報は、複数の文を有し、クローズドキャプションテキスト、テレテキストにより交換されるサブタイトル又は交換又は記憶されるサブタイトル、又は映像ストリームの画像とマージされるグラフィックデータとして実施され、結果的に、重なり合ったテキストを得ることが可能である。）
−  文における感嘆構文要素を検出するためのテキスト分析ユニット１２０（感嘆構文要素は、感嘆符、大文字で表される単語、大文字で表された単語を有する文、下線が付けられた大文字で表された単語、イタリック体で表された単語、ボールド体で表された単語又は他の文における他の大文字と比較して相対的に大きい大文字で表された単語であることが可能である。サブタイトルの検出は、好適には、国際公開第２００２／０９３９１０号パンフレットに記載されている方法に基づく。次の２つの文献において、映像セグメントにおけるテキスト検索のための適切な技術が更に開示されている。それらの文献は、“ＭＰＥＧ−７  Ｖｉｄｅｏ  Ｔｅｘｔ  Ｄｅｓｃｒｉｐｔｉｏｎ  Ｓｃｈｅｍｅ  ｆｏｒ  Ｓｕｐｅｒｉｍｐｏｓｅｄ  Ｔｅｘｔ”，ｂｙ  Ｎ．Ｄｉｍｉｔｒｏｖａ，Ｌ．Ａｇｎｉｈｏｔｒｉ，Ｃ．Ｄｒａｉ，Ｒ．Ｂｏｌｌｅ，ｉｎ  Ｉｎｔｅｒｎａｔｉｏｎａｌ  Ｓｉｇｎａｌ  Ｐｒｏｃｅｓｓｉｎｇ  ａｎｄ  Ｉｍａｇｅ  Ｃｏｍｍｕｎｉｃａｔｉｏｎｓ  Ｊｏｕｒｎａｌ，Ｓｅｐｔｅｍｂｅｒ，２０００及び“Ｔｅｘｔ  Ｄｅｔｅｃｔｉｏｎ  ｆｏｒ  Ｖｉｄｅｏ  Ａｎａｌｙｓｉｓ”，ｂｙ  Ｌ．Ａｇｎｉｈｏｔｒｉ，Ｎ．Ｄｉｍｉｔｒｏｖａ，ｉｎ  ＩＥＥＥ  Ｗｏｒｋｓｈｏｐ  ｏｎ  ＣＯｎｔｅｎｔ−ｂａｓｅｄ  Ａｃｃｅｓｓ  ｏｆ  Ｉｍａｇｅ  ａｎｄ  Ｖｉｄｅｏ  Ｌｉｂｒａｒｉｅｓ，  Ｃｏｌｏｒａｄｏ，Ｊｕｎ  ‘９９である。）；
−  感嘆構文要素に対応する映像ストリーム２００から部分２０２乃至２１４を選択するための映像選択ユニット１２２（その選択ユニット１２２は、感嘆構文要素の存在する開始及び終了の瞬間を決定するように備えられている。それぞれの部分２０２乃至２１４の始め及び終わりは、好適には、それらの開始及び終了の瞬間とマッチングする）；並びに
−  選択部分２０２乃至２１４を関連映像セグメントと関連付けるための関連スケユニット１２４（関連映像セグメントの収集は、オリジナルの映像ストリームのそれぞれの部分の複写の数として記憶されることが可能である。しかし、好適には、ポインタの集合のみが記憶される。それらのポインタは、映像ストリームの選択部分の始め又は終わりそれぞれに対応する映像ストリーム内の開始又は終了位置を示す。映像データ又はポインタとしての関連映像セグメントの収集は、オリジナルの映像ストリームの記憶のために適用される同じメモリ装置又は分離されたメモリ装置に記憶されることができる。取り外し可能記憶媒体に基づく記録及び再生装置の場合、映像ストリーム及び関連映像セグメントの収集の両方が同じ記憶媒体に記憶されることは好ましいことは明らかである。）；
を有する。
【００２８】
好適には、コンテンツ分析アルゴリズムが、適切な映像又は音声シーン境界に対して選択映像セグメントを調整するために又は、特定のイベントシーケンス、例えば、爆発、自動車の衝突等を含むように提案している方法と結び付けて用いられる。
【００２９】
自動的に生成されたトレーラを、映像マテリアルをブラウズするために用いることができる。特に、自動プロファイルに基づく記録と組合せで、これは興味深い特徴である。ユーザは、どのプログラムを視聴すべきかの記録プログラムから選択するための幾つかの方式を必要とする。生成されたトレーラは、テレビジョンを楽しむ背もたれモードとよく適合するオプションである。
【００３０】
複写情報受信ユニット１１８、テキスト分析ユニット１２０、映像選択ユニット１２２及び関連付けユニット１２４は、処理器を用いて実施されることが可能である。特に、それらの機能は、ソフトウェアプログラムプロダクトの制御下で実行される。実行中、特に、ソフトウェアプログラムプロダクトは、ＲＡＭのようなメモリに対してロードされ、そこから実行される。プログラムは、例えば、ＲＯＭ、ハードディスク又は磁気及び／又は光記憶装置等のバックグラウンドメモリからロードされることが可能であり、若しくは、インターネットのようなネットワークによりロードされることが可能である。任意に、特定用途向け集積回路（ＡＳＩＣ）により開示した機能性を備えることができる。
【００３１】
図２は、本発明に従って、テレビジョンプログラム２００に基づいて、映像トレーラ又は映像要約２０１の生成について模式的に示している。テレビジョンプログラム２００は多くのシーン及びショットを有する。複写情報はテレビジョンが利用可能であることに関連付けられることを前提とする。感嘆構文要素を有する複写情報の部分に属す映像ストリームの相対的に小さい部分２０２乃至２１４を選択することにより、テレビジョンプログラムの相対的に重要なシーンの部分が収集される。それ故、関連映像イセグメントの収集は、映像トレーラ又は映像要約として非常によく適合するものである。典型的には、映像ストリームの選択部分２０２乃至２１４は数秒（１乃至１０秒）の持続時間を有している。選択映像セグメントの持続時間は所定の値に等しいことが可能である。しかし、好適には、その持続時間は、感嘆構文要素が存在する持続時間により決定される。代替として、その持続時間はユーザにより制御可能である。任意に、映像セグメントの持続時間はテレビジョンプログラムの持続時間に関連する。例えば、テレビジョンプログラムの持続時間が長い場合、選択映像セグメントの持続時間は相対的に短いことが可能である。任意に、映像セグメントの持続時間は、テレビジョンプログラムにおける検出された感嘆構文要素の数に関連する。例えば、感嘆構文要素の数が制限される場合、選択映像セグメントの持続時間は相対的に長い。
【００３２】
上記の実施形態は本発明を限定するのではなく、例示であり、当業者は、同時提出の特許請求の範囲についての範囲から逸脱することなく代替の実施形態をデザインすることができることに留意する必要がある。用語‘を有する’は、請求項に挙げられていない要素又は段階の存在を排除するものではない。要素の単数表現はその様な要素の複数の存在を排除するものではない。本発明を、幾つかの別個の要素を有するハードウェアにより及び適切にプログラムされたコンピュータにより実施することができる。幾つかの手段を挙げている装置請求項においては、それらの手段の幾つかを同一のハードウェアにより実施することができる。第１、第２及び第３等を用いた表現は何れの順序を示すものではない。それらの表現は単に名前として解釈されるべきものである。
【図面の簡単な説明】
【００３３】
【図１】本発明に従った記録及び再生装置の実施形態を示す模式図である。
【図２】本発明に従ってプログラムに基づいて映像要約の生成を示す模式図である。
【図１】
2007503145.tif 000003
【図２】
2007503145.tif 000004
【国際調査報告】
2007503145.tif 000005
2007503145.tif 000006
2007503145.tif 000007